(57)【要約】【課題】床面が濡れにくく、衛生上、美観上好ましい床面の状態を維持する上で有利な航空機用化粧室ユニットの床構造を提供すること。【解決手段】フロアパン２４Ａの底板２６０２の上面２６０２Ｅで側面板２６０６Ａ、２６０６Ｂよりも内側の箇所に洗面台側縁２６０２Ｂに沿って収容凹部３０が直線状に延在形成されている。底板２６０２の上面２６０２Ｅのほぼ全域において、相互に間隔をおき収容凹部３０に連通する水案内溝３２が複数設けられている。吸水部材２８は収容凹部３０に収容されて配置されている。【選択図】図１
2019209744.tif 000002
【特許請求の範囲】
【請求項１】
航空機用化粧室ユニットの躯体フレームの底壁上に配置されるフロアパンを備え、
前記フロアパンは化粧室の床面を構成する底板を有する、
航空機用化粧室ユニットの床構造であって、
前記底板の縁に沿って延在形成された収容凹部と、
前記収容凹部に収容された細長の吸水部材と、
前記底板の上面に形成され前記収容凹部に連通する複数の水案内溝と、
を備えることを特徴とする航空機用化粧室ユニットの床構造。
【請求項２】
前記躯体フレームは、前記底壁から起立する複数の壁板を有し、
前記複数の壁板のうちの１つの壁板の幅方向の中間部に寄せて前記底壁上に便器が配置され、前記複数の壁板のうちの他の壁板に洗面台が配置され、
前記収容凹部が延在形成される前記底板の前記縁は、その延在方向の中間部の上方に前記便器が位置する便器側縁、または、前記洗面台の下方で前記洗面台の延在方向に沿って延在する洗面台側縁のうちの少なくとも一方の縁である、
ことを特徴とする請求項１記載の航空機用化粧室ユニットの床構造。
【請求項３】
前記躯体フレームは、前記底壁から起立する複数の壁板を有し、
前記複数の壁板のうちの１つの壁板に洗面台が配置され、
前記洗面台の下方に収納扉により開閉される下部収納部が配置され、
前記収納扉側の前記下部収納部の底部の底面は、前記底板の上面よりも上方に離れた箇所に位置し、
前記収容凹部が延在形成される前記底板の前記縁は、前記下部収納部の下方で前記下部収納部の延在方向に沿って延在する洗面台側縁であり、
前記収容凹部は、前記収納扉側の前記下部収納部の前記底部の前記底面の下方に設けられている、
ことを特徴とする請求項１記載の航空機用化粧室ユニットの床構造。
【請求項４】
前記下部収納部の下方で前記収容凹部に対面する前記底板の端面に係脱可能に目隠し板が設けられ、
前記目隠し板が前記底板の前記端面に結合した状態で前記目隠し板は前記底板の端面から起立する、
ことを特徴とする請求項３記載の航空機用化粧室ユニットの床構造。
【発明の詳細な説明】
【技術分野】
【０００１】
本発明は、航空機用化粧室ユニットの床構造に関する。
【背景技術】
【０００２】
航空機用化粧室ユニットは、底壁と、底壁から起立する正面壁と、背面壁と、一対の側面壁とを有しその内部が化粧室とされる躯体フレームを有している。
そして、化粧室内で背面壁寄りの底壁の箇所に便器が配置され、一方の側面壁に沿って洗面台が配置されている。
洗面台は、カウンタテーブルと、カウンタテーブルの上面に設けられた洗面ボウルと、水栓などを含んで構成されている。
カウンターテールの下方は、下部収納部となっており、上方は上部収納部となっている。
そして、便器の正面壁側である前方と、下部収納部の他方の側面壁側である側方の底壁の箇所にフロアパンが配置され、このフロアパンが化粧室の床面を構成している。
近年、航空路によっては、便器または洗面台の使用により化粧室の床面が濡れる現象が頻繁に生じている。
【先行技術文献】
【特許文献】
【０００３】
【特許文献１】ＷＯ２０１４/１４１７０１
【発明の概要】
【発明が解決しようとする課題】
【０００４】
床面が濡れていると、衛生上、美観上好ましくないため、客室乗務員がペーパータオルなどを用いて床面の水を拭き取る清掃作業を頻繁に行なう必要があり、何らかの改善が求められている。
本発明は前記事情に鑑み案出されたものであって、本発明の目的は、床面が濡れにくく、衛生上、美観上好ましい床面の状態を維持する上で有利な航空機用化粧室ユニットの床構造を提供することにある。
【課題を解決するための手段】
【０００５】
上述の目的を達成するため本発明は、航空機用化粧室ユニットの躯体フレームの底壁上に配置されるフロアパンを備え、前記フロアパンは化粧室の床面を構成する底板を有する、航空機用化粧室ユニットの床構造であって、前記底板の縁に沿って延在形成された収容凹部と、前記収容凹部に収容された細長の吸水部材と、前記底板の上面に形成され前記収容凹部に連通する複数の水案内溝と、を備えることを特徴とする。
また、本発明は、前記躯体フレームは、前記底壁から起立する複数の壁板を有し、前記複数の壁板のうちの１つの壁板の幅方向の中間部に寄せて前記底壁上に便器が配置され、前記複数の壁板のうちの他の壁板に洗面台が配置され、前記収容凹部が延在形成される前記底板の前記縁は、その延在方向の中間部の上方に前記便器が位置する便器側縁、または、前記洗面台の下方で前記洗面台の延在方向に沿って延在する洗面台側縁のうちの少なくとも一方の縁であることを特徴とする。
また、本発明は、前記躯体フレームは、前記底壁から起立する複数の壁板を有し、前記複数の壁板のうちの１つの壁板に洗面台が配置され、前記洗面台の下方に収納扉により開閉される下部収納部が配置され、前記収納扉側の前記下部収納部の底部の底面は、前記底板の上面よりも上方に離れた箇所に位置し、前記収容凹部が延在形成される前記底板の前記縁は、前記下部収納部の下方で前記下部収納部の延在方向に沿って延在する洗面台側縁であり、前記収容凹部は、前記収納扉側の前記下部収納部の前記底部の前記底面の下方に設けられていることを特徴とする。
また、本発明は、前記下部収納部の下方で前記収容凹部に対面する前記底板の端面に係脱可能に目隠し板が設けられ、前記目隠し板が前記底板の前記端面に結合した状態で前記目隠し板は前記底板の端面から起立することを特徴とする。
【発明の効果】
【０００６】
本発明によれば、フロアパンの底板の上面に飛散した水の大部分が水案内溝を介して吸水部材に吸い取られるため、フロアパンの底板の上面に残存する水は少なく、短時間のうちに底板の上面から蒸発する。
したがって、手洗いなどによって底板の上面に水が飛散し濡れたとしても、短時間で濡れた状態が解消するため、衛生上、美観上好ましい状態に化粧室を維持する上で有利となる。また、客室乗務員がペーパータオルで化粧室の床面の水を拭き取る作業の必要頻度が低減し、清掃作業の簡素化を図る上で有利となる。
また、収容凹部、吸水部材が設けられる箇所は底板の縁であるため、利用者が化粧室に入った場合に、収容凹部、吸水部材が邪魔になることがなく、利用者が化粧室内で円滑に移動する上で有利となり、また、化粧室の美観を維持する上で有利となる。
また、本発明によれば、収容凹部、吸水部材が設けられる箇所は、飛散する水が落ちる頻度の高い底板の箇所の近傍の箇所であるため、水案内溝を介した吸水部材による吸水が効率よくなされ、短時間のうちに底板の上面から水を蒸発させる上で有利となる。
また、本発明によれば、収容凹部および吸水部材が化粧室の利用者から見えにくい箇所に位置するため、化粧室の美観を高める上で有利となる。
また、本発明によれば、目隠し板により吸水部材が隠されるため、化粧室の美観を高める上でより有利となる。
【図面の簡単な説明】
【０００７】
【図１】第１の実施の形態における航空機用化粧室ユニットから一つの側面壁と扉を省いた状態の斜視図である。
【図２】第１の実施の形態のフロアパンの斜視図である。
【図３】下部収納部の側方の底壁にフロアパンが載置された状態の断面図である。
【図４】（Ａ）〜（Ｃ）は水案内溝の断面形状の説明図である。
【図５】異なった形状の水案内溝の説明図である。
【図６】（Ａ）は異なった形状の水案内溝の説明図、（Ｂ）は（Ａ）の要部の断面図である。
【図７】水案内溝の底面が傾斜面で形成された説明図である。
【図８】収容凹部、吸水部材をフロアパンの便器側縁に沿って設けた場合の説明図である。
【図９】収容凹部に蓋体を装着した状態の断面図である。
【図１０】蓋体の斜視図である。
【図１１】第２の実施の形態における航空機用化粧室ユニットから一つの側面壁と扉を省いた状態の斜視図である。
【図１２】第２の実施の形態のフロアパンの斜視図である。
【図１３】下部収納部の底部と収容凹部、吸水部材との関係を示す断面図である。
【図１４】第３の実施の形態の説明図で、目隠し板が設置された状態の断面図である。
【図１５】目隠し板の斜視図である。
【発明を実施するための形態】
【０００８】
次に、図面を参照して本実施の形態について説明する。
（第１の実施の形態）
図１に示すように、航空機用化粧室ユニット１０Ａは、底壁１２０２と、底壁１２０２から起立する複数の壁板と、天井１２１０とを有しその内部が化粧室１４とされる躯体フレーム１２を備えている。
本実施の形態では、複数の壁板のうちの１つは正面壁１２０４であり、１つは正面壁１２０４に対向する背面壁１２０６であり、残りの二つは、背面壁１２０６の両側と正面壁１２０４の両側を接続する一対の側面壁１２０８であり、したがって壁板は４つ設けられている。
本実施の形態では、正面壁１２０４に出入口１２１２が設けられ、背面壁１２０６の前方に内壁１２１４が設けられ、便器１６は内壁１２１４を介して底壁１２０２上に設けられている。
また、一方の側面壁１２０８に洗面台１８が設けられている。
なお、一方の側面壁１２０８に洗面台１８が設けられ、他方の側面壁１２０８に出入口１２１２が設けられる場合や、一方の側面壁１２０８に出入口１２１２が設けられ、正面壁１２０４に洗面台１８が設けられる場合などもあり、化粧室１４内のレイアウトは、図１の構造に限定されず、また、平面視した場合の化粧室１４の形状も様々であり、壁板の数は４つに限定されない。
【０００９】
洗面台１８は、カウンタテーブル１８０２と、カウンタテーブル１８０２に設けられた洗面ボウル１８０４、水栓１８０６などを含んで構成され、洗面台１８は、便器１６の側方で一方の側面壁１２０８に沿って延在している。
洗面台１８の下方は、消火機能付きのごみ箱装置１９や化粧室１４の備品などが収納される下部収納部２０となっており、下部収納部２０は複数の扉２００２、２００４により開閉可能であり、図１において、符号２００６はごみ投入口を示している。
洗面台１８の上方は、ティッシュペーパーなどの化粧室１４の備品が収納される上部収納部２２となっており、上部収納部２２は鏡付きの複数の扉２２０２、２２０４により開閉される。
【００１０】
そして、図１〜図３に示すように、便器１６の前方（正面壁１２０４側）と、下部収納部２０の側方（他方の側面壁側）の底壁１２０２の箇所にフロアパン２４Ａが配置され、このフロアパン２４Ａが化粧室１４の床面１４０２を構成している。
なお、躯体フレーム１２とフロアパン２４Ａは共に合成樹脂製であるが、フロアパン２４Ａを軽量で剛性を有する金属製にするなど任意である。
図１、図３に示すように、フロアパン２４Ａは、フロアパン本体２６と、吸水部材２８とを含んで構成されている。
図２に示すように、フロアパン本体２６は、底板２６０２と、背面板２６０４と、一対の側面板２６０６Ａ、２６０６Ｂと、正面板２６０８とを含んで構成され、例えば、合成樹脂により一体成形されている。
底板２６０２は、底壁１２０２に載置され、底板２６０２の上面２６０２Ｅは化粧室１４の床面１４０２を構成し、平面視ほぼ矩形を呈している。
底板２６０２は、便器１６側に位置する便器側縁２６０２Ａと、洗面台１８側に位置する洗面台側縁２６０２Ｂと、下部収納部２０に対向する側面壁１２０８側に位置する側面壁側縁２６０２Ｃと、出入口１２１２側に位置する出入口側縁２６０２Ｄとを備えている。
背面板２６０４は、便器側縁２６０２Ａから起立しており、背面板２６０４の延在方向の中央部に便器１６の下部の部分を収容する収容部２６１０が設けられている。
一対の側面板２６０６Ａ、２６０６Ｂのうちの一方の側面板２６０６Ａは、洗面台側縁２６０２Ｂから起立し、他方の側面板２６０６Ｂは側面壁側縁２６０２Ｃから起立している。
正面板２６０８は出入口側縁２６０２Ｄから起立しているものの、躯体フレーム１２の出入口１２１２の輪郭に沿って正面板２６０８の大半は切り欠かれ、正面板２６０８は出入口１２１２の幅方向の端部にのみ位置している。
【００１１】
なお、図１に示すように、背面壁１２０６寄りのカウンタテーブル１８０２の箇所よりも洗面ボウル１８０４が設けられたカウンタテーブル１８０２の箇所が化粧室１４内に突出しており、これに対応して背面壁１２０６寄りの下部収納部２０の箇所２０Ａよりも洗面ボウル１８０４の下方の下部収納部２０の箇所２０Ｂ（扉２００２）が化粧室１４内に突出している。
このため、洗面台側縁２６０２Ｂ、側面板２６０６Ａは、このような下部収納部２０の輪郭に合致した形状で形成されている。
【００１２】
詳細には、図１、図２に示すように、一対の側面板２６０６Ａ、２６０６Ｂを結ぶ方向をフロアパン本体２６の幅方向とすると、フロアパン２４Ａを平面視した場合、洗面ボウル１８０４の下方の下部収納部２０の箇所２０Ｂ（扉２００２）では幅方向の寸法が小さい幅狭部２６２０となっており、洗面ボウル１８０４の下方の下部収納部２０よりも背面壁１２０６寄りの箇所２０Ａでは幅方向の寸法が大きい幅広部２６２２となっている。
フロアパン２４Ａを平面視した場合、側面壁側縁２６０２Ｃと側面板２６０６Ｂは直線状に延在し、洗面台側縁２６０２Ｂと側面板２６０６Ａは、幅狭部２６２０と幅広部２６２２との境の箇所で湾曲している。
また、図１に示すように、幅狭部２６２０の幅方向の端部の上方に洗面ボウル１８０４が位置し、便器側縁２６０２Ａと出入口側縁２６０２Ｄとを結ぶ方向をフロアパン本体２６の長手方向とすると、フロアパン本体２６の長手方向の端部の上方に便器１６が位置している。
【００１３】
図２に示すように、底板２６０２の上面２６０２Ｅで側面板２６０６Ａよりも内側の箇所に洗面台側縁２６０２Ｂに沿って収容凹部３０が直線状に延在形成されている。
詳細には、幅狭部２６２０の洗面台側縁２６０２Ｂに沿って断面が矩形の収容凹部３０が、一定の幅、一定の深さで直線状に延在形成されている。
なお、収容凹部３０の断面形状は半円形などでもよく、矩形に限定されない。
収容凹部３０の底部を形成する底板２６０２の箇所は、他の底板２６０２の箇所と比べ厚さが小さい薄肉部として形成されている。
【００１４】
また、図２に示すように、底板２６０２の上面２６０２Ｅのほぼ全域において、相互に間隔をおき収容凹部３０に連通する水案内溝３２が複数設けられている。
本実施の形態では、便器側縁２６０２Ａ寄りの上面箇所、側面壁側縁２６０２Ｃ寄りの上面箇所、出入口側縁２６０２Ｄ寄りの上面箇所からそれぞれ収容凹部３０に向かって直線状に延在する水案内溝３２が複数設けられている。
水案内溝３２の断面形状は、水を収容凹部３０に円滑に流動させる形状であればよく、例えば、図４（Ａ）に示すように断面が半円弧状、図４（Ｂ）に示すように断面が矩形、図４（Ｃ）に示すように断面がＶ字状など従来公知の様々な溝形状が適用可能である。
【００１５】
また、収容凹部３０に連通する水案内溝３２は直線状に延在するものに限定されず、従来公知の様々な溝形状が適用可能である。
例えば、図５に示すように、底板２６０２の上面２６０２Ｅのほぼ全域において、曲線状または屈曲状に延在する複数の水案内溝３２を設けてもよく、この場合には複数の水案内溝３２はその長手方向の中間部において他の水案内溝３２と交差し連通している。
また、図６（Ａ）、（Ｂ）に示すように、底板２６０２の上面２６０２Ｅ全域に複数の半球状または矩形板状、円柱状などの形状の突起部３４を設け、底板２６０２の上面２６０２Ｅをそれら突起部３４の表面で形成し、それら突起部３４の間を水案内溝３２としてもよい。この場合には水案内溝３２は収容凹部３０に連通すると共に底板２６０２の上面２６０２Ｅの全域において相互に連通している。
また、図７に示すように、水案内溝３２の底面３２０２を、収容凹部３０に近づくにつれて水案内溝３２の深さを次第に深くする傾斜面３２０２Ａで形成してもよい。水案内溝３２の底面３２０２をこのような傾斜面３２０２Ａで形成すると、底板２６０２の上面２６０２Ｅに飛び散った水を円滑に収容凹部３０に導く上で有利となる。
【００１６】
吸水部材２８は収容凹部３０に収容されて配置されている。
図３に示すように、吸水部材２８は収容凹部３０の断面形状に対応して断面が矩形で細長の形状で形成されている。
本実施の形態では、吸水前の吸水部材２８は、その高さが収容凹部２８の深さよりも十分に小さい寸法で形成されている。
そのため、吸水部材２８による吸水量を確保し、また、吸水し膨張しても底板２６０２の上面２６０２Ｅから吸水部材２８の上面２８０２が突出しないように美観性が確保されている。
吸水部材２８として、例えば、吸水性高分子などの従来公知の様々な高い吸水性を有する吸水シートなどが使用可能である。
また、吸水部材２８として、抗菌剤が配合された抗菌性吸水シート、あるいは、除菌剤が配合された除菌性吸水シートを用いると、吸収した水に雑菌が繁殖することを抑制できるため、臭いを抑制し、化粧室１４の衛生を確保する上で有利となり、より衛生的な機能を付与することができる。
また、吸水部材２８として、芳香剤が配合された芳香性吸水シートを用いると、臭いを抑制し、化粧室１４の衛生を確保する上で有利となり、より衛生的な機能を付与することができる。
【００１７】
次に作用効果について説明する。
化粧室１４の利用者が洗面台１８の洗面ボウル１８０４で手を洗うことで水がフロアパン２４Ａの底板２６０２の上面２６０２Ｅに飛散する。
あるいは、利用者が便器１６の蓋を開け、便座に座って用を足す場合、あるいは、便座を上げて立ったまま用を足す場合に、尿がこぼれて尿がフロアパン２４Ａの底板２６０２の上面２６０２Ｅに飛散する。
あるいは、イスラム教の儀式である礼拝の前に体の一部を洗う清めの行為（ウドゥ）として、利用者が便器１６の蓋を開け、便座上で足を洗うことなどで、水がフロアパン２４Ａの底板２６０２の上面２６０２Ｅに飛散する。
そして、水案内溝３２と底板２６０２の上面２６０２Ｅとにわたって飛散した水や尿（以下単に水という）は、底板２６０２の上面２６０２Ｅよりも水案内溝３２の内部は低い箇所に位置することから、底板２６０２の上面２６０２Ｅから水案内溝３２に導かれ水案内溝３２に沿って広がる。
また、隣り合う水案内溝３２の間の底板２６０２の上面２６０２Ｅに飛散した水は、相互に付着しある程度の体積を持った水のかたまりとなり水案内溝３２に到達すると、底板２６０２の上面２６０２Ｅよりも水案内溝３２の内部は低い箇所に位置することから、底板２６０２の上面２６０２Ｅから水案内溝３２に導かれ水案内溝３２に沿って広がる。
【００１８】
水案内溝３２に沿って広がる水が吸水部材２８に到達すると、水は吸水部材２８に吸い取られる。
そして、水案内溝３２の水が吸水部材２８により吸い取られることにより、水案内溝３２の水は順次吸水部材２８に向かって流動し、吸水部材２８に吸い取られていく。
したがって、フロアパン２４Ａの底板２６０２の上面２６０２Ｅに飛散した水の大部分が水案内溝３２を介して吸水部材２８に吸い取られるため、フロアパン２４Ａの底板２６０２の上面２６０２Ｅに残存する水は少なく、短時間のうちに底板２６０２の上面２６０２Ｅから蒸発する。
【００１９】
したがって、手洗いなどによって底板２６０２の上面２６０２Ｅに水が飛散し濡れたとしても、短時間で濡れた状態が解消するため、衛生上、美観上好ましい状態に化粧室１４を維持する上で有利となる。
また、客室乗務員がペーパータオルで化粧室１４の床面１４０２の水を拭き取る作業の必要頻度が低減し、清掃作業の簡素化を図る上で有利となる。
また、水を吸い取った吸水部材２８を交換する場合は、収容凹部３０から吸水部材２８を把持して取り出し、代わりに新しい吸水部材２８を収容凹部３０に挿入する簡単な作業で足り、化粧室１４のメンテナンス作業の簡素化を図る上で有利となる。
【００２０】
また、収容凹部３０、吸水部材２８が設けられる箇所は洗面台側縁２６０２Ｂの箇所であるため、利用者が化粧室１４に入った場合に、収容凹部３０、吸水部材２８が邪魔になることがなく、利用者が化粧室１４内で円滑に移動する上で有利となり、また、化粧室１４の美観を維持する上で有利となる。
また、本実施の形態では、収容凹部３０、吸水部材２８が設けられる箇所は、洗面台１８の下方に沿って洗面台１８の延在方向に延在する洗面台側縁２６０２Ｂの箇所であり、洗面台１８から飛散する水が落ちる頻度の高い底板２６０２の箇所の近傍の箇所である。
そのため、水案内溝３２を介した吸水部材２８による吸水が効率よくなされ、短時間のうちに底板２６０２の上面２６０２Ｅから水を蒸発させる上で有利となる。
【００２１】
なお、本実施の形態では、収容凹部３０、吸水部材２８を洗面台側縁２６０２Ｂに沿って設けた場合について説明したが、図８に示すように、収容凹部３０、吸水部材２８を便器側縁２６０２Ａに沿って設けるようにしてもよく、あるいは、収容凹部３０、吸水部材２８を洗面台側縁２６０２Ｂと便器側縁２６０２Ａの双方の側縁に沿って設けるようにしてもよい。
収容凹部３０、吸水部材２８を便器側縁２６０２Ａに沿って設けた場合には、フロアパン２４Ｂの底板２６０２の上面２６０２Ｅのほぼ全域において、相互に間隔をおき便器側縁２６０２Ａの収容凹部３０に連通する水案内溝３２を複数設ければよく、この場合にも第１の実施の形態と同様な効果が奏される。
また、収容凹部３０、吸水部材２８を洗面台側縁２６０２Ｂと便器側縁２６０２Ａの双方の側縁に沿って設けた場合には、相互に間隔をおき洗面台側縁２６０２Ｂの収容凹部３０に連通する複数の水案内溝３２と、相互に間隔をおき便器側縁２６０２Ａの収容凹部３０に連通する複数の水案内溝３２とを底板２６０２の上面２６０２Ｅのほぼ全域に位置させればよく、この場合には２つの吸水部材２８による吸水が行なわれることから、第１の実施の形態に比べ、短時間のうちに底板２６０２の上面２６０２Ｅから水を蒸発させる上でより有利となる。
【００２２】
また、底板２６０２の上面２６０２Ｅを疎水性を有する疎水面として水を弾きやすい状態にしておくと、底板２６０２の上面２６０２Ｅに飛散した水は上面２６０２Ｅの疎水面で弾かれて水案内溝３２に導かれやすくなる。
また、水案内溝３２の表面を親水性を有する親水面として水に濡れやすい状態にしておくと、底板２６０２の上面２６０２Ｅから水案内溝３２に導かれた水が水案内溝３２に沿って広がりやすくなる。
このように底板２６０２の上面２６０２Ｅを疎水面とすると共に、水案内溝３２の表面を親水面とすると、底板２６０２の上面２６０２Ｅに飛散した水が効率的に水案内溝３２を介して吸水部材２８に吸い取られ、フロアパン２４Ａの底板２６０２の上面２６０２Ｅに残存する水をより少なくし、より短時間のうちに底板２６０２の上面２６０２Ｅから蒸発させる上でより有利となる。
【００２３】
なお、上述した実施の形態では、収容凹部３０の上方が開放されているため、収容凹部３０に収容された吸水部材２８が利用者の目に入りやすいことが考えられる。
そこで、図９、図１０に示すように、収容凹部３０に収容された吸水部材２８を覆う蓋体４０を着脱可能に設けるようにしてもよい。
図９に示すように、収容凹部３０の底面３００２の両側から起立する一対の側面３００４の上部に、蓋体４０の下面を支持する支持壁３００６が収容凹部３０の長手方向に間隔をおいて設けられている。
各支持壁３００６の上面には、後述する蓋体４０の係合突起４００８が係脱する係合孔３００８が設けられている。
図９、図１０に示すように、蓋体４０は、蓋体本体４００２と、複数の切欠部４００４と、指掛部４００６と、複数の係合突起４００８とを備えている。
蓋体本体４００２は、収容凹部３０の全域を覆うように収容凹部３０の輪郭に沿って帯板状に形成されている。
複数の切欠部４００４は、蓋体本体４００２の幅方向の縁部に沿って間隔をおいて形成されている。
すなわち、複数の切欠部４００４は、蓋体本体４００２が収容凹部３０を覆った状態で各水案内溝３２の端部に接続する箇所に設けられ、水案内溝３２によって導かれた水が切欠部４００４を通過して収容凹部３０に収容されるように図られている。
指掛部４００６は、蓋体本体４００２の長手方向の一端に形成され、蓋体４０の収容凹部３０への装脱を行なう際に指を掛けて操作できるように図られている。
複数の係合突起４００８は、蓋体本体４００２の下面の幅方向の両側から下方に突設され、各係合孔３００８に係脱可能に設けられている。
また、吸水前の吸水部材２８は、その高さが収容凹部２８の深さよりも十分に小さい寸法で形成され、吸水部材２８による給水量が大きく確保されている。
【００２４】
蓋体４０の収容凹部３０への装着は、蓋体４０を収容凹部３０の支持壁３００６上に載せ、各係合突起４００８を各係合孔３００８に係合させることでなされる。
蓋体４０の収容凹部３０からの取り外しは、指掛部４００６に指をかけて蓋体４０を持ち上げて、係合突起４００８と係合孔３００８との係合を解除することでなされる。
蓋体４０を収容凹部３０から取り外すことで吸水部材２８の交換を容易に行なうことができる。
このように蓋体４０を収容凹部３０に装脱可能に設けると、収容凹部３０に収容された吸水部材２８が蓋体４０によって隠されるため、化粧室１４の美観を高める上で有利となる。
【００２５】
（第２の実施の形態）
次に第２の実施の形態について図１１〜図１３を参照して説明する。
なお、以下の実施の形態の説明では、第１の実施の形態と同様な箇所、部材に同一の符号を付してその説明を省略し異なった箇所を重点的に説明する。
上述のように背面壁１２０６寄りのカウンタテーブル１８０２の箇所よりも洗面ボウル１８０４が設けられたカウンタテーブル１８０２の箇所が化粧室１４内に突出しており、これに対応して背面壁１２０６寄りの下部収納部２０の箇所２０Ａよりも洗面ボウル１８０４の下方の下部収納部２０の箇所２０Ｂが化粧室１４内に突出している。
第２の実施の形態の航空機用化粧室ユニット１０Ｂでは、化粧室１４内に突出した洗面ボウル１８０４の下方の下部収納部２０の箇所２０Ｂの下方に利用者がつま先を入れることができ、狭い化粧室１４内スペースを有効利用できるように図られている。
【００２６】
すなわち、図１３に示すように、化粧室１４内に突出した洗面ボウル１８０４の下方の下部収納部２０の箇所２０Ｂは、つま先を入れることができるように、底板２６０２の上面２６０２Ｅの上方に離れた箇所に位置している。言い換えると、扉（収納扉）２００２の下部２００２Ａは、底板２６０２の上面２６０２Ｅよりも上方に離れた箇所に位置している。
フロアパン２４Ｃの底板２６０２の洗面台側縁２６０２Ｂは、図１２に示すように、便器側縁２６０２Ａから出入口側縁２６０２Ｄにわたって直線状に延在しており、化粧室１４内に突出した洗面ボウル１８０４の下方の下部収納部２０の箇所２０Ｂでは、この下部収納部２０の箇所２０Ｂの下方に隠された箇所に位置する。
収容凹部３０は、この下部収納部２０の箇所２０Ｂの下方に隠された箇所に位置する洗面台側縁２６０２Ｂに沿って設けられ、吸水部材２８はこの収容凹部３０に収容されて配置されている。
したがって、図１１に示すように、収容凹部３０と吸水部材２８は、化粧室１４内に突出した洗面ボウル１８０４の下方の下部収納部２０の箇所２０Ｂの下方に隠された箇所に配置され、化粧室１４の底板２６０２の上面２６０２Ｅに起立した利用者から見えにくい箇所に位置している。
水案内溝３２は、第１の実施の形態と同様に、底板２６０２の上面２６０２Ｅのほぼ全域において、相互に間隔をおいて直線状に延在して複数設けられ、それぞれ収容凹部３０に連通している。
【００２７】
このような第２の実施の形態によっても第１の実施の形態と同様な効果が奏される他、収容凹部３０および吸水部材２８が化粧室１４の利用者から見えにくい箇所に位置するため、化粧室１４の美観を高める上で有利となる効果が奏される。
【００２８】
（第３の実施の形態）
次に第３の実施の形態について図１４、図１５を参照して説明する。
第３の実施の形態は、第２の実施の形態に、吸水部材２８を隠す目隠し板３６を設けたものである。
目隠し板３６は、取り付け部３６０２と、取り付け部３６０２で支持された本体板部３６０４とを有している。
取り付け部３６０２は、本実施の形態では複数の取り付け片３６０２Ａと、それら取り付け片３６０２Ａの先部に突設された係合突起３６０２Ｂとを含んで構成されている。
各取り付け片３６０２Ａの係合突起３６０２Ｂが、収容凹部３０に対面する底板２６０２の端面２６０２Ｆの係合凹部２６０２Ｇに係脱可能に結合することで取り付け部３６０２が底板２６０２の端面２６０２Ｆに取着される。
このように取り付け部３６０２が底板２６０２の端面２６０２Ｆに取着された状態で、本体板部３６０４は底板２６０２の端面２６０２Ｆの仮想延長面から直角に起立し、この状態で、本体板部３６０４の下縁３６０４Ａは、底板２６０２の上面２６０２Ｅよりも僅かに上方に位置し、水案内溝３２に本体板部３６０４の下縁３６０４Ａが接触しないように図られている。
吸水部材２８が収容される収容凹部３０は、底板２６０２の端面２６０２Ｆおよび複数の取り付け片３６０２Ａと、側面板２６０６Ａとの間に形成され、この収容凹部３０に吸水部材２８が収容される。
第３の実施の形態によれば、第２の実施の形態と同様な効果が奏される他、目隠し板３６により吸水部材２８が隠されるため、化粧室１４の美観を高める上でより有利となる。
また、吸水した吸水部材２８が膨張して吸水部材２８の高さが大きくなっても目隠し板３６により吸水部材２８が隠されるため、第１、第２の実施の形態に比較して大きな高さの吸水部材２８を用いることができ、大容量の吸水を可能とすることができる。
そのため、吸水部材２８の交換回数を抑制でき、メンテナンス作業の簡素化を図る上でより有利となる。
なお、目隠し板３６は、上記の構造に限定されず、断面をＬ字状に形成し、例えば、目隠し板３６を側面板２６０６Ａに係脱可能に取り付け、吸水部材２８の上方の空間を、化粧室１４側と上方から隠すようにするなど任意である。
また、第３の実施の形態では、目隠し板３６をフロアパン２４Ｃに着脱可能に設けた場合について説明したが、目隠し板３６をフロアパン２４Ｃに取り外し不能に設けてもよく、その場合は、扉（収納扉）２００２を開放し収容凹部３０の上方の空間を介して吸水部材２８の交換を行なえばよい。
【符号の説明】
【００２９】
１０Ａ、１０Ｂ  航空機用化粧室ユニット
１２  躯体フレーム
１２０２  底壁
１２０６  背面壁
１２０８  側面壁
１４  化粧室
１４０２  床面
１６  便器
１８  洗面台
２０  下部収納部
２００２  扉（収納扉）
２４Ａ、２４Ｂ、２４Ｃ  フロアパン
２６０２  底板
２６０２Ａ  便器側縁
２６０２Ｂ  洗面台側縁
２６０２Ｅ  上面
２６０２Ｆ  端面
２８  吸水部材
３０  収容凹部
３２  水案内溝
３６  目隠し板
【図１】
2019209744.tif 000003
【図２】
2019209744.tif 000004
【図３】
2019209744.tif 000005
【図４】
2019209744.tif 000006
【図５】
2019209744.tif 000007
【図６】
2019209744.tif 000008
【図７】
2019209744.tif 000009
【図８】
2019209744.tif 000010
【図９】
2019209744.tif 000011
【図１０】
2019209744.tif 000012
【図１１】
2019209744.tif 000013
【図１２】
2019209744.tif 000014
【図１３】
2019209744.tif 000015
【図１４】
2019209744.tif 000016
【図１５】
2019209744.tif 000017
【手続補正書】
【提出日】令和1年9月5日(2019.9.5)
【手続補正１】
【補正対象書類名】明細書
【補正対象項目名】０００５
【補正方法】変更
【補正の内容】
【０００５】
上述の目的を達成するため本発明は、航空機用化粧室ユニットの躯体フレームの底壁上に配置されるフロアパンを備え、前記フロアパンは化粧室の床面を構成する底板を有する航空機用化粧室ユニットの床構造であって、前記底板の縁に沿って延在形成された細長の収容凹部と、前記収容凹部の延在方向に細長状を呈し前記収容凹部に挿入取り出し可能に収容された吸水シート製の吸水部材と、前記底板の上面に形成され前記収容凹部に連通する複数の水案内溝とを備えることを特徴とする。
また、本発明は、前記吸水部材は、前記吸水部材が吸水し膨張しても前記底板の上面から前記吸水部材の上面が突出しない前記収容凹部の深さよりも小さい寸法の高さで形成されていることを特徴とする。
また、本発明は、前記躯体フレームは、前記底壁から起立する複数の壁板を有し、前記複数の壁板のうちの１つの壁板の幅方向の中間部に寄せて前記底壁上に便器が配置され、前記複数の壁板のうちの他の壁板に洗面台が配置され、前記収容凹部が延在形成される前記底板の前記縁は、その延在方向の中間部の上方に前記便器が位置する便器側縁、または、前記洗面台の下方で前記洗面台の延在方向に沿って延在する洗面台側縁のうちの少なくとも一方の縁であることを特徴とする。
また、本発明は、前記躯体フレームは、前記底壁から起立する複数の壁板を有し、前記複数の壁板のうちの１つの壁板に洗面台が配置され、前記洗面台の下方に収納扉により開閉される下部収納部が配置され、前記収納扉側の前記下部収納部の底部の底面は、前記底板の上面よりも上方に離れた箇所に位置し、前記収容凹部が延在形成される前記底板の前記縁は、前記下部収納部の下方で前記下部収納部の延在方向に沿って延在する洗面台側縁であり、前記収容凹部は、前記収納扉側の前記下部収納部の前記底部の前記底面の下方に設けられ、かつ、前記下部収納部の前記底面と前記底板の上面との間に前記化粧室の利用者のつま先が入るに足る隙間が設けられ、前記収納扉で構成される前記下部収納部の前面よりも前記１つの壁板側に奥まった箇所に前記収容凹部が位置していることを特徴とする。
また、本発明は、前記下部収納部の下方で前記収容凹部に対面する前記底板の端面に係脱可能に目隠し板が設けられ、前記目隠し板が前記底板の前記端面に結合した状態で前記目隠し板は前記底板の端面から起立することを特徴とする。
【手続補正２】
【補正対象書類名】特許請求の範囲
【補正対象項目名】全文
【補正方法】変更
【補正の内容】
【特許請求の範囲】
【請求項１】
航空機用化粧室ユニットの躯体フレームの底壁上に配置されるフロアパンを備え、
前記フロアパンは化粧室の床面を構成する底板を有する、
航空機用化粧室ユニットの床構造であって、
前記底板の縁に沿って延在形成された細長の収容凹部と、
前記収容凹部の延在方向に細長状を呈し前記収容凹部に挿入取り出し可能に収容された吸水シート製の吸水部材と、
前記底板の上面に形成され前記収容凹部に連通する複数の水案内溝と、
を備えることを特徴とする航空機用化粧室ユニットの床構造。
【請求項２】
前記吸水部材は、前記吸水部材が吸水し膨張しても前記底板の上面から前記吸水部材の上面が突出しない前記収容凹部の深さよりも小さい寸法の高さで形成されている、
ことを特徴とする請求項１記載の航空機用化粧室ユニットの床構造。
【請求項３】
前記躯体フレームは、前記底壁から起立する複数の壁板を有し、
前記複数の壁板のうちの１つの壁板の幅方向の中間部に寄せて前記底壁上に便器が配置され、前記複数の壁板のうちの他の壁板に洗面台が配置され、
前記収容凹部が延在形成される前記底板の前記縁は、その延在方向の中間部の上方に前記便器が位置する便器側縁、または、前記洗面台の下方で前記洗面台の延在方向に沿って延在する洗面台側縁のうちの少なくとも一方の縁である、
ことを特徴とする請求項１または２記載の航空機用化粧室ユニットの床構造。
【請求項４】
前記躯体フレームは、前記底壁から起立する複数の壁板を有し、
前記複数の壁板のうちの１つの壁板に洗面台が配置され、
前記洗面台の下方に収納扉により開閉される下部収納部が配置され、
前記収納扉側の前記下部収納部の底部の底面は、前記底板の上面よりも上方に離れた箇所に位置し、
前記収容凹部が延在形成される前記底板の前記縁は、前記下部収納部の下方で前記下部収納部の延在方向に沿って延在する洗面台側縁であり、
前記収容凹部は、前記収納扉側の前記下部収納部の前記底部の前記底面の下方に設けられ、
かつ、前記下部収納部の前記底面と前記底板の上面との間に前記化粧室の利用者のつま先が入るに足る隙間が設けられ、前記収納扉で構成される前記下部収納部の前面よりも前記１つの壁板側に奥まった箇所に前記収容凹部が位置している、
ことを特徴とする請求項１または２記載の航空機用化粧室ユニットの床構造。
【請求項５】
前記下部収納部の下方で前記収容凹部に対面する前記底板の端面に係脱可能に目隠し板が設けられ、
前記目隠し板が前記底板の前記端面に結合した状態で前記目隠し板は前記底板の端面から起立する、
ことを特徴とする請求項４記載の航空機用化粧室ユニットの床構造。